(57)【要約】【課題】主桁の部品点数が少なく、かつ主桁の強度を確保しやすいＦＲＰ製歩廊を提供する。【解決手段】主桁１と、主桁１の両側に立設される支柱２と、支柱２に取り付けられる手摺３とからなり、その主桁１、支柱２および手摺３がそれぞれＦＲＰで形成されているＦＲＰ製歩廊において、その主桁１として、表面部１１と裏面部１２と両側面部１３とからなる中空の板状をなし、幅方向の複数箇所に表面部１１と裏面部１２との間で長手方向に延びるリブ１４を有する一体成形品を用いることにより、複数の部品を一体化した主桁を用いる場合に比べて、主桁１の部品点数を減らすことができ、主桁１の強度の確保も容易に行えるようにしたのである。【選択図】図４
2018197458.tif 000002
【特許請求の範囲】
【請求項１】
主桁と、前記主桁の長手方向の複数個所に立設される支柱と、前記主桁の長手方向に延びる状態で前記支柱に取り付けられる手摺とを備え、少なくとも前記主桁が繊維強化樹脂で形成されている繊維強化樹脂製歩廊において、
前記主桁は、表面部と裏面部と両側面部とからなる中空の板状をなし、幅方向の少なくとも１箇所に前記表面部と裏面部との間で長手方向に延びるリブを有している一体成形品であることを特徴とする繊維強化樹脂製歩廊。
【請求項２】
前記支柱が前記主桁の側面部に締結部材で締結されており、前記主桁は、前記裏面部のうち、少なくとも前記側面部と支柱との締結部の近傍に開口が設けられていることを特徴とする請求項１に記載の繊維強化樹脂製歩廊。
【請求項３】
前記主桁の表面部が、その表面の幅方向中心を頂点とし、幅方向両側へ向かって下る勾配を有していることを特徴とする請求項１または２に記載の繊維強化樹脂製歩廊。
【発明の詳細な説明】
【技術分野】
【０００１】
本発明は、橋梁の保守点検を行うための検査路等に用いられる繊維強化樹脂製歩廊に関する。
【背景技術】
【０００２】
高速道路や鉄道の橋梁には、一般に、定期的な点検や破損部分の修理を行うための検査路が付設されている。この検査路を構成する歩廊は、従来では鋼製のものが多かったが、近年では、鋼製のものに比べて大幅な軽量化が図れ、設置作業がしやすく、表面処理を施さなくても耐久性・耐食性が確保できる繊維強化樹脂（ＦＲＰ）製のものが使用されるようになってきている。
【０００３】
上記のような繊維強化樹脂製歩廊（以下、「ＦＲＰ製歩廊」とも称する。）は、通常、主桁と、主桁の長手方向の複数個所に立設される支柱と、主桁の長手方向に延びる状態で支柱に取り付けられる手摺とを備え、その主桁、支柱および手摺がそれぞれＦＲＰで形成されている。そして、その主桁は、複数のＦＲＰ製部品を一体化したものが多い。
【０００４】
例えば、特許文献１に開示されている歩廊（橋梁検査路構造）の主桁（デッキプレート）は、裏板と、表板と、左右両側の側面を形成する断面コの字状の形材と、裏板と表板との間の幅方向中央に配される断面コの字状の形材とを、それぞれＦＲＰで形成して、その部品どうしを接着剤で接合したものである。
【０００５】
また、特許文献２には、構造物の点検、修理等に使用される歩廊の主桁（足場板）として、断面矩形のＦＲＰ製パイプを複数本並べ、その上下面にＦＲＰ板を積層し、その外周を樹脂含浸繊維で巻き込み、さらにその最外周を傷付き防止用の金属製の薄板で覆った板状体を用いることが開示されている。
【先行技術文献】
【特許文献】
【０００６】
【特許文献１】実用新案登録第３１２８９４７号公報
【特許文献２】特許第３３６７７８８号公報
【発明の概要】
【発明が解決しようとする課題】
【０００７】
しかしながら、上記特許文献１、２に開示されているようなＦＲＰ製歩廊では、主桁の部品点数が多いため、主桁の製作までの部品管理が煩雑となるし、主桁製作時にも部品を一体化するのに時間と手間がかかるという問題がある。しかも、主桁の部品どうしを接着したり（特許文献１）、樹脂含浸繊維で巻き込んだり（特許文献２）して一体化しているので、使用中に主桁が製作時の一体化状態を保持できなくなって変形や破損を生じることがないように、主桁全体としての強度を確保するための設計および製作を慎重に行う必要があり、この点でも設計・製作に時間と手間がかかる。
【０００８】
そこで、本発明は、主桁の部品点数が少なく、かつ主桁の強度を確保しやすいＦＲＰ製歩廊を提供することを課題とする。
【課題を解決するための手段】
【０００９】
上記の課題を解決するため、本発明は、主桁と、前記主桁の長手方向の複数個所に立設される支柱と、前記主桁の長手方向に延びる状態で前記支柱に取り付けられる手摺とを備え、少なくとも前記主桁が繊維強化樹脂で形成されている繊維強化樹脂製歩廊（ＦＲＰ製歩廊）において、前記主桁は、表面部と裏面部と両側面部とからなる中空の板状をなし、幅方向の少なくとも１箇所に前記表面部と裏面部との間で長手方向に延びるリブを有している一体成形品である構成を採用した。
【００１０】
すなわち、ＦＲＰ製の主桁として、内部にリブを有する中空板状の一体成形品を用いることにより、複数の部品を一体化した主桁を用いる場合に比べて、主桁の部品点数を減らすことができ、主桁全体としての強度の確保も容易に行えるようにしたのである。
【００１１】
ここで、前記支柱が前記主桁の側面部に締結部材で締結されており、前記主桁は、前記裏面部のうち、少なくとも前記側面部と支柱との締結部の近傍に開口が設けられている構成を採用すれば、支柱の主桁側面部への締結作業が容易になる。
【００１２】
また、前記主桁の表面部が、その表面の幅方向中心を頂点とし、幅方向両側へ向かって下る勾配を有している構成とすれば、このＦＲＰ製歩廊を屋外に設置した場合に、雨水等が主桁上に残留することなく幅方向両側へ滑り落ち、作業者が主桁上で足を滑らせにくいようにすることができる。
【発明の効果】
【００１３】
本発明のＦＲＰ製歩廊は、上述したように、ＦＲＰ製の主桁として、内部にリブを有する中空板状の一体成形品を用いたものであるから、複数の部品を一体化した主桁を用いたものに比べて、主桁の部品点数が少なく、主桁の強度も確保しやすい。
【図面の簡単な説明】
【００１４】
【図１】実施形態のＦＲＰ製歩廊の側面図
【図２】図１のＦＲＰ製歩廊の正面図
【図３】ａは図１のIII−III線に沿った断面の主桁付近を拡大して示す縦断面図、ｂはａの主桁の要部拡大縦断面図
【図４】図３の断面の付近を下方から見た斜視図
【図５】図３（ａ）に対応して主桁の変形例を示す縦断面図
【発明を実施するための形態】
【００１５】
以下、図面に基づき、本発明の実施形態を説明する。このＦＲＰ製歩廊は、図１および図２に示すように、主桁１と、主桁１の長手方向の複数個所で主桁１の両側に立設される支柱２と、主桁１の長手方向に延びる状態で支柱２に取り付けられる複数の手摺３とからなるもので、その主桁１、各支柱２および各手摺３がそれぞれ繊維強化樹脂（ＦＲＰ）で形成されている。
【００１６】
前記主桁１は、図２、図３（ａ）および図４に示すように、表面部１１と裏面部１２と両側面部１３、１３とからなる中空の板状をなし、その幅方向の複数箇所に表面部１１と裏面部１２との間で長手方向に延びるリブ１４を有している一体成形品であり、引抜成形によって製作されたものである。ここで、引抜成形は、長手方向に強化繊維を配置するのに適した成形方法で、長手方向に大きい強度を発現するものであるので、この主桁１も長手方向に大きい強度を有している。また、主桁１の表面部１１は、図３（ａ）、（ｂ）に示すように、その表面の幅方向中心を頂点とし、幅方向両側へ向かって下る角度θの勾配を有している。
【００１７】
前記各支柱２は、図1乃至図４に示すように、２つの帯状部２１、２２からなる断面Ｌ字状の部材であり、その一方の帯状部２１の外側面の下端部が主桁１の側面部１３に当接する状態で、ボルトとナットからなる締結部材４によって主桁側面部１３に締結されている。
【００１８】
そして、図３（ａ）および図４に示すように、主桁１の裏面部１２には、主桁１の側面部１３と各支柱２との締結部の近傍にそれぞれ矩形の開口１５が設けられ、この開口１５を利用して支柱２の主桁側面部１３への締結が行えるようになっている。
【００１９】
前記各手摺３は、図１、図２および図４に示すように、丸パイプ状の部材であり、主桁１の長手方向に並ぶ複数の支柱２の他方の（主桁側面部１３と直交する方の）帯状部２２を貫通する状態で、鉛直方向に３段（上段、中段、下段）配置されている。そのうち、上段の手摺３は、剛性確保のために、中段および下段の手摺３よりも大径のものが用いられており、各支柱２貫通位置の前後をそれぞれ固定具５で支柱２に固定されている。一方、中段および下段の手摺３は、主桁１の長手方向の両端部に配置された支柱２にのみ、その支柱２の貫通位置の前後を固定具５で固定されている。
【００２０】
このＦＲＰ製歩廊は、上記の構成であり、ＦＲＰ製の主桁１として、内部にリブ１４を有する中空板状の一体成形品を用いているので、複数の部品を一体化した主桁を用いた従来のものに比べて、主桁の部品点数が少ない。したがって、主桁１については、製作までの部品管理が不要で、製作も一度の引き抜き加工のみでよく、時間や手間がかからない。しかも、構造および製作工程が比較的単純なので、強度を確保するための設計や製作段階での管理がしやすく、この点でも生産性に優れたものとなっている。
【００２１】
また、主桁１の表面部１１は、その表面の幅方向中心を頂点とし、幅方向両側へ向かって下る勾配を有しているので、このＦＲＰ製歩廊を屋外に設置した場合に、雨水等が主桁１上に残留することなく幅方向両側へ滑り落ち、作業者が主桁１上で足を滑らせにくいようになっている。
【００２２】
また、支柱２は断面Ｌ字状の部材を用い、その一方の帯状部２１の外側面の下端部を主桁側面部１３に当接させてボルトとナットからなる締結部材４で締結するようにするとともに、主桁１の裏面部１２のうち、主桁側面部１３と各支柱２との締結部の近傍に開口１５を設けているので、支柱２の主桁側面部１３への締結作業が容易なうえ、断面矩形の支柱を用いる場合よりも軽量化が図れる。
【００２３】
今回開示された実施の形態はすべての点で例示であって制限的なものではないと考えられるべきである。本発明の範囲は、上記した意味ではなく、特許請求の範囲によって示され、特許請求の範囲と均等の意味および範囲内でのすべての変更が含まれることが意図される。
【００２４】
例えば、主桁１は、図５に示す変形例のように、上述した実施形態のものよりも高さのあるものを用いることもできる。また、その表面部は、滑り止めのために、実施形態のような勾配をつけるほか、表面に滑り止め塗装を施すようにしてもよい。
【００２５】
そして、実施形態では、主桁１の裏面部１２に支柱２の主桁側面部１３への締結作業を容易にするための開口１５を設けたが、その開口は主桁の長手方向全長にわたるスリット状に形成することもできる。開口をスリット状にすれば、主桁の引き抜き加工の際に同時に形成されるので、主桁製作をさらに効率よく行えるようになる。一方、実施形態のような個別の開口を設ける場合は、主桁の補強のために、支柱の主桁への締結作業が完了した後に開口を閉塞してもよいし、開口を開閉する蓋を取り付けるようにしてもよい。
【００２６】
また、支柱は、実施形態のように断面Ｌ字状の部材を用いることが好ましいが、断面Ｈ字状の部材や断面矩形の部材を用いることもできる。
【００２７】
また、手摺は、実施形態では、３段すべてをＦＲＰ製としたが、上段のみを鋼等の金属製としてもよい。上段の手摺をＦＲＰよりも剛性の高い材質のものとすれば、実施形態のようにＦＲＰ製とした場合に比べて、手摺のたわみが少なくなるので、支柱の本数を減らすことができ、支柱の主桁への締結作業の負荷を少なくすることができる。また、実施形態では、３段のうちの中段および下段を主桁の長手方向両端部の支柱のみで固定するようにしたが、中下段も上段と同じくすべての支柱貫通位置の前後で固定するようにしてもよい。
【００２８】
そのほか、主桁の側方に、点検や修理に使用する器具等の主桁からの落下を防止するためのＦＲＰ製の落下防止板（爪先板）を設けることもできる。
【符号の説明】
【００２９】
１  主桁
２  支柱
３  手摺
４  締結部材
５  固定具
１１  表面部
１２  裏面部
１３  側面部
１４  リブ
１５  開口
２１、２２  帯状部
【図１】
2018197458.tif 000003
【図２】
2018197458.tif 000004
【図３】
2018197458.tif 000005
【図４】
2018197458.tif 000006
【図５】
2018197458.tif 000007